(57)【要約】【課題】ネットワーク回線の切替え中等であってもＴｒａｐを破棄することなく障害等の検出を迅速に行うことができ、また、Ｔｒａｐ再発行要求等の新たな機能を追加しなくてもＴｒａｐ抜けの検出を行う。【解決手段】ネットワーク回線の切替え時にＴｒａｐ発行部１６がＴｒａｐを発行した場合、切替制御部１８はＴｒａｐ保持部１７にネットワーク回線の切替えが完了するまで当該Ｔｒａｐを保持するよう制御する。当該Ｔｒａｐはネットワーク回線の切替え完了後にスイッチ１５を経由して主信号導通部１２、１３のうち、その時接続している方を経由して基幹ネットワーク３に送付され、監視装置２に到着する。【選択図】図２
2011109505.tif 000002
【特許請求の範囲】
【請求項１】
基幹ネットワークに接続する為のネットワーク回線を持つ複数の主信号導通部と、
加入者端末群からのパケットを前記複数の主信号導通部の１つに振り分けるスイッチと、
所定の事象が発生した場合にＴｒａｐを発行するＴｒａｐ発行部と、
前記ネットワーク回線に切替えが生じた時に切替えが完了したと判断するまで前記Ｔｒａｐ発行部が発行した前記Ｔｒａｐを保持し、切替え完了判定後に前記スイッチに転送するＴｒａｐ保持部と、
前記ネットワーク回線の切替えが完了するまで前記Ｔｒａｐ発行部が発行した前記Ｔｒａｐを保持し、切替え完了判定後に前記スイッチに転送するよう前記Ｔｒａｐ保持部を制御する切替制御部と
を備えた冗長系通信装置。
【請求項２】
基幹ネットワークに接続する為のネットワーク回線を持つ複数の主信号導通部と、
加入者端末群からのパケットを前記複数の主信号導通部の１つに振り分けるスイッチと、
所定の事象が発生した場合に冗長系通信装置の外部の被監視装置から送信されたＴｒａｐを取得するＴｒａｐキャプチャ部と、
前記ネットワーク回線に切替えが生じた時に切替えが完了したと判断するまで前記Ｔｒａｐキャプチャ部が取得した前記Ｔｒａｐを保持し、切替え完了判定後に前記スイッチに転送するＴｒａｐ保持部と、
前記ネットワーク回線の切替えが完了するまで前記Ｔｒａｐキャプチャ部が取得した前記Ｔｒａｐを保持し、切替え完了判定後に前記スイッチに転送するよう前記Ｔｒａｐ保持部を制御する切替制御部と
を備えた冗長系通信装置。
【請求項３】
切替制御部におけるネットワーク回線切替え完了の判定は主信号導通部と監視装置との間の疎通確認により行うことを特徴とする請求項１または請求項２記載の冗長系通信装置。
【発明の詳細な説明】
【技術分野】
【０００１】
本発明は電気通信事業者等による大規模ＩＰ系ネットワークに位置し、監視系ネットワークと冗長接続を行っているようなネットワーク機器において、ネットワーク回線の切替えの契機となった現象を報告するためのＴｒａｐ及びネットワーク回線の切替え中に発生したＴｒａｐを監視系ネットワーク内にて破棄されることなく監視装置に通知する冗長系通信装置に関するものである。
【背景技術】
【０００２】
大規模ＩＰ系ネットワークにおいては全体の接続性を維持するために、個々の機器が動作しているかどうかや、何か問題が発生しているかどうか、導通の経路が変更されたかどうかをＳＮＭＰ(Simple Network Management Protocol)を利用して監視している。
【０００３】
ＳＮＭＰはｍａｎａｇｅｒとａｇｅｎｔで構成され、監視装置にはｍａｎａｇｅｒが、被監視装置にはａｇｅｎｔが実装される。ＳＮＭＰはＵＤＰプロトコル上にて実現され、ネットワーク経路上のパケットロスが原理的に防止出来ないために、一般的に監視装置は被監視装置をポーリングで監視している。そのため、被監視装置は監視装置から情報の取得要求があった場合だけ動作すればよいことになる。
【０００４】
ただし、ＳＮＭＰには装置故障等の突発的な状態変化や警報発生状況等を監視装置に通知する仕組みも用意されていて、それをＳＮＭＰ-Ｔｒａｐ(以下Ｔｒａｐ)という。Ｔｒａｐは被監視装置が監視装置に対して自律的に発行するものであり、状況的に重要な内容であることが多いことから、Ｔｒａｐがパケットロスするとネットワーク監視において障害の検出遅れが発生する可能性がある。
【０００５】
大規模ＩＰ系ネットワークにおいては接続性を維持するために被監視装置において基幹側回線に対する冗長化がよく用いられる。この冗長化において、被監視装置側で何の対処も行わない場合、切替えの契機となった要因を示すＴｒａｐ及び切替え直後のＴｒａｐが、ネットワーク回線が切替え中であるために被監視装置自身により破棄されることになる。
【０００６】
上記具体例には、直近に接続した装置とのリンクのＵｐのみにより回線の切替え完了を判断する方式がある。この場合、直近に接続した装置の構造によっては当該装置が監視装置に接続するための中継装置のＡＲＰ（Address Resolution Protocol）解決の最中に、切替えが発生した被監視装置からのＴｒａｐが連続して到着するために、そのＴｒａｐを直近に接続した装置が破棄してしまう可能性がある。
【０００７】
通信回線の切替えに関する技術として特許文献1では、通信回線の切替えによるサービス低下等を最小限にする事を目的として、回線の切替え時に所定時間毎に自動的に現用回線の回復を検出して予備通信回線から現用通信回線に切替える技術を開示している。また、Ｔｒａｐの管理方法に関する技術として特許文献２には、Ｔｒａｐの抜け・漏れが発生したとしても少ないパケットのやり取りで効率的に再送処理を行い、監視装置の処理負荷を軽減する事を目的として、Ｔｒａｐ発行時にＴｒａｐに番号を付与し、Ｔｒａｐ受信先において当該番号の抜け・漏れを検出した際にＴｒａｐの受信先は発行元に対して再発行要求を行い、発行元が抜け・漏れしたＴｒａｐを１つに纏めて再送するという技術が開示されている。
【先行技術文献】
【特許文献】
【０００８】
【特許文献１】特開平２−２５６３２６号公報
【特許文献２】特開２００８−１９８０４１号公報
【発明の概要】
【発明が解決しようとする課題】
【０００９】
特許文献１に係る発明では、システムの運用者等が復旧指令を出さなくても自動的に通信回線の切替えを行うことができる。しかし、障害の検出を確認するまでの期間に発生したＴｒａｐは破棄されることになる。この場合、切替え中に発生した警報を監視装置が認識するタイミングは被監視装置に対する次回のポーリングタイミングとなる。大規模ネットワークの場合ではポーリングを行うだけでもネットワーク内の負荷が増大するので、通常ポーリングタイミングは長く設定されることとなり、その結果警報の検出タイミングは遅れることになる。
【００１０】
また、特許文献２に係る発明では、Ｔｒａｐが大量に発生しても切替え完了のＴｒａｐを定義して被監視装置から発行し、切替え直後に監視装置から被監視装置に対してポーリングを行うことで切替え中の状態変化を取得する方式での警報の検出タイミングの遅延は防止できる。しかし、ポーリング対象としてＴｒａｐで定義された項目全てを内包するように定義する必要がある。そうでない場合、Ｔｒａｐ発行対象ではあるが、ポーリング取得対象ではない事象は検出出来ない。また、ポーリングでは最終的な状態しか収集できないので、一時的に警報が発生するという状況は検出することは出来ない。
【００１１】
これに対して特許文献２は、監視装置から被監視装置に対してＴｒａｐの再発行要求を発行し、被監視装置が再発行要求を受ける構成としているが、この場合では監視装置側にＴｒａｐの抜けを検出する機能及び被監視装置側には監視装置側からの再発行要求を受けＴｒａｐを再発行する機能を追加する必要があった。
【００１２】
従来の冗長系通信装置は上記のように構成されており、ネットワーク回線の切替え中におけるＴｒａｐの破棄による障害検出時間の遅延を改善するという課題があった。また、切替え完了Ｔｒａｐを定義して監視装置から再ポーリングを行うか、若しくはＴｒａｐの再発行要求を行う場合では上記機能を別途追加しなければならないという課題があった。
この発明は上記のような課題を解決する為になされたもので、ネットワーク回線の切替え中等であってもＴｒａｐを破棄することなく障害等の検出を迅速に行うことができ、また、Ｔｒａｐ再発行要求等の新たな機能を追加しなくてもＴｒａｐ抜けの検出を行うことができる冗長系通信装置を得ることを目的とする。
【課題を解決するための手段】
【００１３】
この発明に係る冗長系通信装置は、基幹ネットワークに接続する為のネットワーク回線を持つ複数の主信号導通部と、加入者端末群からのパケットを前記複数の主信号導通部の１つに振り分けるスイッチと、所定の事象が発生した場合にＴｒａｐを発行するＴｒａｐ発行部と、前記ネットワーク回線に切替えが生じた時に切替えが終了したと判断するまで、前記Ｔｒａｐ発行部が発行したＴｒａｐを保持するＴｒａｐ保持部と、前記Ｔｒａｐ発行部が発行したＴｒａｐを前記ネットワーク回線の切替えが終了するまで保持するようＴｒａｐ保持部を制御する切替制御部とを備えたものである。
【発明の効果】
【００１４】
この発明ではネットワーク回線に切替えが生じた時に、切替えが終了したと判断するまで、Ｔｒａｐ発行部が発行したＴｒａｐを保持するように構成している。このため、ネットワーク回線の切替え時に発生したＴｒａｐは一時的な状態に維持されたまま監視装置に到着する為、Ｔｒａｐは破棄されず再発行する事もない。よって、切替え中に発生した警報に対して監視装置側で遅延のない検出を行うことが出来るという効果がある。
【図面の簡単な説明】
【００１５】
【図１】この発明の実施の形態１に係る冗長系通信装置が適用されるネットワークの模式図である。
【図２】この発明の実施の形態１に係る冗長系通信装置が適用される被監視装置を示す図である。
【図３】この発明の実施の形態１に係る冗長系通信装置のＴｒａｐ保持完了判定についてのフローチャートである。
【図４】この発明の実施の形態２に係る冗長系通信装置が適用される被監視装置を示す図である。
【発明を実施するための形態】
【００１６】
以下、本発明の実施の形態１について説明する。
実施の形態１．
図１はこの発明の実施の形態１に係る冗長系通信装置が適用されるネットワークの模式図である。図１において冗長系通信装置が適用されるネットワークは監視端末１、監視装置２、基幹ネットワーク３、被監視装置４（冗長構成を持つ冗長系通信装置）、加入者端末群５及び被監視装置（冗長構成を持たない非冗長系通信装置）６から構成される。
【００１７】
監視端末１は監視装置２のユーザーインタフェースとして動作する。監視装置２は基幹ネットワーク３に接続されたネットワーク機器の状態を監視するためのものであり、ＳＮＭＰ ｍａｎａｇｅｒとして動作する。
【００１８】
基幹ネットワーク３は主に電気通信事業者が所有するＩＰネットワーク網である。被監視装置は冗長通信機能を持つ被監視装置（冗長系通信装置）４や冗長機能を持たない被監視装置（非冗長系通信装置）６がそれぞれ場合により数百台以上の規模で接続されている。
【００１９】
加入者端末群５は被監視装置４や被監視装置６にそれぞれ収容され、被監視装置４や被監視装置６は加入者端末群５から受信したＩＰパケットを基幹ネットワーク３に転送する。
【００２０】
次に図２で本発明が実現される冗長系通信装置の構造について説明する。図２はこの発明の実施の形態１に係る冗長系通信装置が適用される被監視装置４を示す図である。
【００２１】
図２において冗長系通信装置４は大きく４つの機能部を持つ。基幹ネットワーク３に接続するためのネットワーク回線を持つ主信号導通部１２と主信号導通部１３、加入者端末群５からのパケットを主信号導通部１２か主信号導通部１３のどちらかに振り分けを実施する実体であるスイッチ１５、スイッチ１５に対して切替えの指示を行う制御部１４である。
【００２２】
制御部１４は冗長系通信装置４の内部状態を監視していて、Ｔｒａｐ発行部１６とＴｒａｐ保持部１７及び切替制御部１８を有する。Ｔｒａｐ発行部１６は装置内にて監視装置２に通知すべき事象が発生した場合に、制御部１４の機能の一つとして当該事象をＴｒａｐにマッピングする。制御部１４から出力されたＴｒａｐはスイッチ１５を経由して、主信号導通部１２と主信号導通部１３のうち、その時接続されている方を経由して基幹ネットワーク３に送付され監視装置２に到着する。
【００２３】
Ｔｒａｐ保持部１７は制御部１４においてＴｒａｐ発行部１６からスイッチ１５へＴｒａｐを出力するまでの段階に設けられる。
Ｔｒａｐ保持部１７は、制御部１１による冗長系通信装置４の内部状態の他、主信号導通部１２と基幹ネットワーク３との接続状態、および主信号導通部１３と基幹ネットワーク３との接続状態の総合的判断、もしくは監視装置２から制御部１４に対する要求により切替え実施判断を行ったときに有効となり、以降制御部１４の切替制御部１８によりＴｒａｐ保持完了と判断されるまでＴｒａｐ発行部１６が作成したパケットをスイッチ１５に転送せずに一時保存する。
切替制御部１８はＴｒａｐ保持部１７が保持したＴｒａｐをネットワーク回線の切替えが完了するまで保持するよう制御する。詳細については図３にて述べる。
【００２４】
次にＴｒａｐ保持が完了したと判定する動作について説明する。図３は冗長系通信装置４によるＴｒａｐ保持完了判定について説明する為のフローチャートである。ここでは主信号導通部１２を経由して基幹ネットワーク３に接続していた状況から主信号導通部１３にネットワーク回線の切替えが発生したという状況を例に説明する。
【００２５】
冗長系通信装置４の制御部１４における切替制御部１８によってＴｒａｐ保持完了判定が開始されたら、切替制御部１８は新たに現用系となった主信号導通部１３と監視装置２との間の疎通確認を実施する（ステップＳＴ１０１）。
【００２６】
ステップＳＴ１０１における疎通確認の方法は、冗長系通信装置４またはその構成部分である主信号導通部１２、主信号導通部１３、制御部１４に割り当てられたＩＰアドレス（この例では主信号導通部１３のＩＰアドレス）から監視装置２のＩＰアドレスまたは基幹ネットワーク３上の監視装置２に到達するまでの経路上に存在するホストのＩＰアドレス（この例では監視装置２のＩＰアドレス）に対してＩＰパケットが到達可能かどうかを判断できる必要があり、ここではＩＣＭＰ(Internet Control Message Protocol)を適用する。
【００２７】
ステップＳＴ１０１における疎通確認の結果、あて先ＩＰアドレスからのＩＣＭＰパケットの応答が得られなかった場合、切替制御部１８は疎通失敗であると判断し（ステップＳＴ１０１“ＮＯ”）、再び疎通確認を再実行する。
【００２８】
ステップＳＴ１０１における疎通確認の結果、あて先ＩＰアドレスからのＩＣＭＰパケットの応答が得られた場合、切替制御部１８は疎通成功であると判断し（ステップＳＴ１０１“ＹＥＳ”）、ステップＳＴ１０２へ制御を進める。
【００２９】
ステップＳＴ１０２において、切替制御部１８はＴｒａｐ保持部１７に対してＴｒａｐ保持の完了指示を行い、保持完了指示を受けたＴｒａｐ保持部１７は速やかに一時保存していたＴｒａｐをスイッチ１５へ転送する。
【００３０】
スイッチ１５に転送されたＴｒａｐは現在の現用系である主信号導通部１３を経由して監視端末２へ送信される。このとき、ステップＳＴ１０１において主信号導通部１３から監視端末２へのＩＰパケットの到達性はＩＣＭＰにより確認済みであるので、経路中のアドレスは解決済みの状態である。その結果、Ｔｒａｐは破棄されることなく監視端末２へ到達する。
【００３１】
以上で明らかなように、この発明の実施の形態１によれば、ネットワーク回線の切替えが必要であることを冗長系通信装置４の制御部１４における切替制御部１８が認識してから発生した事象は、Ｔｒａｐの形式のまま、冗長系通信装置４内の記憶領域に保存しておき、切替制御部１８により切替えが完了したと判断するまで維持するよう構成している。このため、ネットワーク回線の切替え時に発生したＴｒａｐは一時的な状態に維持されたまま監視装置に到着し、Ｔｒａｐは破棄されず再発行する事もない。よって、切替え中に発生した警報に対して監視装置２側で遅延のない検出を行うことが出来る。さらに、切替え後にＴｒａｐ発行部１６から発行されたＴｒａｐ群は、切替えの完了判定時に監視装置２に対する疎通確認が完了しているため、経路上の機器のＡＲＰ解決は完了しており、これにより、パケットロスの可能性が低減される。
【００３２】
実施の形態２．
以下、本発明の実施の形態２について図４を参照して説明する。図４はこの発明の実施の形態２に係る冗長系通信装置が適用される被監視装置（冗長系通信装置）を示す図である。図４では実施の形態１における図２に対し、加入者端末群５が位置していた導通経路の方向に被監視装置２９が存在し、冗長系通信装置２１の構成要素である制御部２４にはＴｒａｐ発行部１６の代わりにＴｒａｐキャプチャ部２６が実装されている。他の構成については図２に示す実施の形態１の構成と同じである為、重複説明は省略する。
【００３３】
被監視装置２９は自身の内部状態の変化をＴｒａｐとして通知する機能を持つ。
実施の形態１ではＴｒａｐを発行する主体は冗長系通信装置４の構成要素である制御部１４であったが、スイッチ１５への切替え指示と図３で示すフローの制御を実行する主体が冗長系通信装置４内にあるならば、Ｔｒａｐを発行する主体が冗長系通信装置４内である必要はない。
【００３４】
また、制御部２４のＴｒａｐキャプチャ部２６は被監視装置２９からスイッチ２５に入力されるパケットを監視し、制御部２４が切替え実施判断を行ったときから、発見したＴｒａｐを取得してＴｒａｐ保持部２７に転送する。
【００３５】
Ｔｒａｐ保持部２７に転送されたＴｒａｐは制御部２４が図３で示すステップＳＴ１０２に制御が移ったときスイッチ２５に転送される。
【００３６】
Ｔｒａｐキャプチャ部２６は制御部２４が図３で示すＴｒａｐ保持完了判定フローの制御が完了したら発見したＴｒａｐをＴｒａｐ保持部２７に転送する機能を停止する。
【００３７】
以上で明らかなように、この実施の形態２によれば、被監視装置２９に新たな機能を追加することなく、また冗長系通信装置２１に基幹ネットワーク３へのネットワーク回線切替え中に到着した被監視装置２９からの全フレームを保持するバッファを設けることなく、冗長系通信装置２１の基幹ネットワーク３への回線切替え中に被監視装置２９から発行されたＴｒａｐの破棄を防止することが出来る。
【００３８】
なお、この実施の形態２においても実施の形態１と同様に、ネットワーク回線切替え時に発生したＴｒａｐは破棄されないことから遅延のない検出を行うことが出来る。また、切替え後に発行されたＴｒａｐ郡は切替え完了判定時に監視装置に対する疎通確認が完了しており、ＡＲＰ解決は完了済みである。よって、パケットロスの可能性が低減される。
【符号の説明】
【００３９】
１  監視端末、２  監視装置、３  基幹ネットワーク、４  被監視装置（冗長系通信装置）、５  加入者端末群、６  被監視装置（非冗長系通信装置）、１２  主信号導通部、１３  主信号導通部、１４  制御部、１５  スイッチ、１６  Ｔｒａｐ発行部、１７  Ｔｒａｐ保持部、１８  切替制御部、２１  冗長系通信装置、２２  主信号導通部、２３  主信号導通部、２４  制御部、２５  スイッチ、２６  Ｔｒａｐキャプチャ部、２７  Ｔｒａｐ保持部、２８  切替制御部、２９  被監視装置。
【図１】
2011109505.tif 000003
【図２】
2011109505.tif 000004
【図３】
2011109505.tif 000005
【図４】
2011109505.tif 000006